(57)【要約】  グロメットは、相手部品に取り付けられるゴム状弾性体製のグロメット本体と、相手部品に対しグロメット本体を固定するセンターシャフトとを有する。グロメット本体は、相手部品に設けた取付穴に差し込まれる筒状の差し込み部を有し、差し込み部の先端にはカエシ状のキャッチャを、差し込み部の後端には傘状のヘッドをそれぞれ設け、差し込み部の内周面に溝状の逃げ空間を有している。センターシャフトは、差し込み部の内周に差し込まれるシャフトを有し、シャフトの先端にはカエシ状のキャッチャを、シャフトの後端にはヘッドをそれぞれ設けている。
2019039310.tif 000002
【特許請求の範囲】
【請求項１】
相手部品に設けた取付穴に差し込まれる筒状の差し込み部と、
前記差し込み部の差し込み方向先端に設けられたカエシ状のグロメットキャッチャと、
前記差し込み部の差し込み方向後端に設けられ、前記グロメットキャッチャとともに前記相手部品を挟み込む傘状のグロメットヘッドと、
前記差し込み部の内周面に溝状の逃げ空間を生成する逃げ空間部と、
を備えるゴム状弾性体製のグロメット本体と、
前記差し込み部の内周に差し込まれるシャフトと、
前記シャフトの差し込み方向先端に設けられたカエシ状のシャフトキャッチャと、
前記シャフトの差し込み方向後端に設けられ、前記シャフトキャッチャとともに前記グロメット本体を挟み込むシャフトヘッドと、
を備えるセンターシャフトと、
を備えることを特徴とするグロメット。
【請求項２】
前記グロメットヘッドは、前記グロメットキャッチャに向けて突出する突起を外周側に設けている、
ことを特徴とする請求項１に記載のグロメット。
【請求項３】
前記グロメットヘッドは、前記相手部品に前記グロメット本体を取り付けた状態で、前記突起の内側に位置する内側空間を大気に開放する連通路を有している、
ことを特徴とする請求項２に記載のグロメット。
【請求項４】
前記突起は複数個に分割され、
前記連通路は、隣り合う前記突起同士の間に設けられている、
ことを特徴とする請求項３に記載のグロメット。
【請求項５】
前記グロメットヘッドは、前記相手部品を支持する支持体に固定された前記シャフトヘッドに密接する、
ことを特徴とする請求項１に記載のグロメット。
【請求項６】
前記グロメットヘッドは、前記支持体に埋設される、
ことを特徴とする請求項５に記載のグロメット。
【請求項７】
前記グロメットヘッドは、前記シャフトヘッドと共に、前記相手部品を支持する支持体を挟持する、
ことを特徴とする請求項１に記載のグロメット。
【発明の詳細な説明】
【技術分野】
【０００１】
本発明は、グロメットに関する。
【背景技術】
【０００２】
ゴム状弾性体よりなるグロメットは、ＡＢＳ（Antilock Brake System）やＥＣＵ（Engine Control Unit）など、自動車等の車両に搭載される各種の補機類や制御装置、電子装置を防振支持する。【０００３】
図５に示すように、一般的にグロメット５１は筒状に成形され、プレート状の相手部品６１に設けた取付穴６２に取り付けられる。グロメット５１の外周面には環状の係合溝５２が設けられている。グロメット５１は、係合溝５２に相手部品６１の取付穴周縁部６３を係合させることによって相手部品６１に取り付けられる。相手部品６１は、グロメット５１に貫通させた取付ボルト７１を支持体８１にねじ込むことで、支持体８１を設けた例えば車両の図示しないボディに取り付けられる。グロメット５１は、平座金９１と支持体８１との間にクランプされる。
【先行技術文献】
【特許文献】
【０００４】
【特許文献１】特開平８−２３２９２５号公報
【発明の概要】
【発明が解決しようとする課題】
【０００５】
図５に示したグロメット５１は、締結手段として取付ボルト７１を用いるため、ボルト締付け時の回転トルクによって共回りすることがある。グロメット５１が共回りすると相手部品６１に対する捩れが発生し、捩れ応力を潜在させて耐久性を低下させる。このため取り付け作業時に共回りによる捩れが発生しないよう慎重な作業を要求され、取り付け作業の煩雑さ・困難さを招くことが危惧される。【０００６】
本発明の課題は、取り付け作業時に共回りによる捩れを生じさせないようにすることである。
【課題を解決するための手段】
【０００７】
本発明のグロメットは、相手部品に設けた取付穴に差し込まれる筒状の差し込み部と、前記差し込み部の差し込み方向先端に設けられたカエシ状のグロメットキャッチャと、前記差し込み部の差し込み方向後端に設けられ、前記グロメットキャッチャとともに前記相手部品を挟み込む傘状のグロメットヘッドと、前記差し込み部の内周面に溝状の逃げ空間を生成する逃げ空間部とを備えるゴム状弾性体製のグロメット本体と、前記差し込み部の内周に差し込まれるシャフトと、前記シャフトの差し込み方向先端に設けられたカエシ状のシャフトキャッチャと、前記シャフトの差し込み方向後端に設けられ、前記シャフトキャッチャとともに前記グロメット本体を挟み込むシャフトヘッドとを備えるセンターシャフトと、を備える。
【発明の効果】
【０００８】
本発明は、締結手段を圧入構造としたため、取り付け作業時に回転トルクが作用せず、共回りによる捩れを生じさせないようにすることができる。
【図面の簡単な説明】
【０００９】
【図１】本発明の実施の一形態を示すグロメットの断面斜視図。
【図２】（Ａ）および（Ｂ）とも同グロメットに備えられるグロメット本体の断面斜視図。
【図３】（Ａ）は同グロメットを支持体に取り付ける構造を示す断面斜視図、（Ｂ）は同構造の他の例を示す断面斜視図。
【図４】（Ａ）（Ｂ）（Ｃ）および（Ｄ）の順に同グロメットを相手部品に取り付ける手順を示す断面斜視図。
【図５】グロメットの説明図。
【発明を実施するための形態】
【００１０】
（グロメットの全体構成）
図１および図２に示すように、本実施の形態のグロメット１１は、プレート状を呈する相手部品（被支持体）６１に取り付けられるゴム状弾性体製のグロメット本体２１と、相手部品６１に対しグロメット本体２１を固定し抜け止めするためのセンターシャフト３１とを有している。グロメット１１は、両部品２１，３１の組み合わせによって構成されている。
【００１１】
（グロメット本体の構成）
グロメット本体２１は、相手部品６１に設けた取付穴６２に差し込まれる筒状の差し込み部２２を有している。この差し込み部２２は、差し込み方向先端（図では下端）にカエシ状のグロメットキャッチャ２３を一体に設け、差し込み部２２の差し込み方向後端（図では上端）に傘状のグロメットヘッド２４を一体に設けている。
【００１２】
筒状の差し込み部２２は、相手部品６１を厚み方向に貫通する。差し込み部２２の長さは、相手部品６１の厚みよりも大きく設定されている。差し込み部２２は、取付穴６２に対して径方向のガタつきを生じないように、その外径を取付穴６２の内径と同等か、略同等に設定している。差し込み部２２の中心軸線上には、貫通穴２２ａが設けられている。差し込み部２２は、差し込み方向先端側に端面２２ｂ、差し込み方向後端側に端面２２ｃをそれぞれ有している。
【００１３】
カエシ状のグロメットキャッチャ２３は、差し込み部２２の先端側端面２２ｂの外周側に設けられたテーパー面状の差し込み面２３ａと、その差し込み方向後端側に設けられた軸直角平面状の係合面２３ｂとを有している。グロメット本体２１のグロメットキャッチャ２３は、これらの各面２３ａ，２３ｂによって囲まれる環状体である。
【００１４】
差し込み面２３ａのテーパーの向きは、差し込み方向後端側から差し込み方向先端側へ向けて径寸法が徐々に小さくなって先細りとなる向きである。差し込み面２３ａの内径は、取付穴６２の内径よりも小さく設定されている。差し込み面２３ａの外径、すなわち係合面２３ｂの外径は、取付穴６２の内径よりも大きく設定されている。
【００１５】
傘状のグロメットヘッド２４は、軸直角平面状の外側端面２４ａと、テーパー面状の外側傾斜面２４ｂと、円筒面状の外周面２４ｃと、軸直角平面状の内側端面２４ｄと、テーパー面状の内側傾斜面２４ｅと、軸直角平面状の内部端面２４ｆとを有している。外側端面２４ａは、差し込み部２２の後端側端面２２ｃの外周側に設けられ、外側傾斜面２４ｂは、外側端面２４ａの外周側に設けられ、外周面２４ｃは、外側傾斜面２４ｂの外周側に設けられている。内側端面２４ｄは、外周面２４ｃの差し込み方向先端側内周に設けられ、内側傾斜面２４ｅは、内側端面２４ｄの内周側に設けられ、内部端面２４ｆは、内側傾斜面２４ｅのさらに内周側に設けられている。グロメット本体２１のグロメットヘッド２４は、各面２４ａ〜２４ｆによって囲まれる環状体である。
【００１６】
外側傾斜面２４ｂのテーパーの向きは、差し込み方向後端側から差し込み方向先端側へ向けて径寸法が徐々に大きくなる向きである。内側傾斜面２４ｅのテーパーの向きも同様に、差し込み方向後端側から差し込み方向先端側へ向けて径寸法が徐々に大きくなる向きである。内側端面２４ｄの内径および外径は共に、取付穴６２の内径よりも大きく設定されている。
【００１７】
カエシ状のグロメットキャッチャ２３の係合面２３ｂの内周側であって、筒状の差し込み部２２の内周面には、環状を呈する溝状の逃げ空間Ｓを生成する逃げ空間部２５が設けられている。逃げ空間Ｓは、カエシ状のグロメットキャッチャ２３が径方向内方へ向けて弾性変形するときのゴム状弾性体の逃げ場として作用する。
【００１８】
図２（Ａ）および（Ｂ）に示すように、傘状のグロメットヘッド２４の内周側であって、筒状の差し込み部２２の内周面には、軸方向に延びるリブ状の複数個の突起２６が円周上に等間隔で設けられている。リブ状の突起２６は、グロメット本体２１に対するセンターシャフト３１の挿入（圧入）を案内し、挿入後、センターシャフト３１を支持する作用を発揮する。
【００１９】
図２（Ｂ）に示すように、傘状のグロメットヘッド２４における内側端面２４ｄ、内側傾斜面２４ｅおよび内部端面２４ｆには、複数個の突起２７が円周上に等間隔で設けられている。突起２７は装着時、相手部品６１に接触する。したがって装着時、互いに隣り合う突起２７同士の間に、グロメットヘッド２４の内側空間２８（図１）を大気開放するための連通路２９が設けられる。内側空間２８は、グロメットヘッド２４および差し込み部２２ならびに相手部品６１によって囲まれる環状の空間であり、この空間が連通路２９を介して大気開放される。
【００２０】
（センターシャフトの構成）
図１に示すように、センターシャフト３１は、グロメット本体２１における差し込み部２２の内周（貫通穴２２ａ）に差し込まれるシャフト３２を有している。シャフト３２は、差し込み方向先端にカエシ状のシャフトキャッチャ３３を一体に設け、シャフト３２の差し込み方向後端に円板状のシャフトヘッド３４を一体に設けている。
【００２１】
シャフト３２は、グロメット本体２１をその高さ方向に貫通する。シャフト３２の長さは、グロメット本体２１の装着時の長さよりも長く設定されている。シャフト３２は、差し込み部２２の内周（貫通穴２２ａ）に対し径方向のガタつきを生じないように、その外径を差し込み部２２の内径（貫通穴２２ａの内径）と同等か、略同等に設定している。シャフト３２は、差し込み方向先端側に端面３２ａを有している。
【００２２】
カエシ状のシャフトキャッチャ３３は、シャフト３２の端面３２ａの外周側に設けられたテーパー面状の差し込み面３３ａと、その差し込み方向後端側に設けられた軸直角平面状の係合面３３ｂとを有している。センターシャフト３１のシャフトキャッチャ３３は、これらの各面３３ａ，３３ｂによって囲まれる環状体である。
【００２３】
差し込み面３３ａのテーパーの向きは、差し込み方向後端側から差し込み方向先端側へ向けて径寸法が徐々に小さくなって先細りとなる向きである。差し込み面３３ａの内径は、差し込み部２２の内径（貫通穴２２ａの内径）よりも小さく設定されている。差し込み面３３ａの外径、すなわち係合面３３ｂの外径は、差し込み部２２の内径（貫通穴２２ａの内径）よりも大きく設定されている。
【００２４】
センターシャフト３１のシャフトヘッド３４は、軸直角のプレート状に形成され、円板状に形成されている。シャフトヘッド３４はシャフト３２に対し一体に形成されているが、別体に形成されてシャフト３２と連結されるものであっても良い。
【００２５】
センターシャフト３１は、グロメット本体２１をなすゴム状弾性体よりも硬質の、樹脂または金属材料によって成形されている。
【００２６】
センターシャフト３１は、図３（Ａ）に示すように、相手部品６１を支持する支持体８１に対しシャフトヘッド３４を固定（埋設）することにより、支持体８１に接続される。
【００２７】
（取り付け手順）
グロメット１１を相手部品６１に取り付ける手順について説明する。
（手順１）
図４（Ａ）に示すように、グロメット本体２１にセンターシャフト３１を挿入（圧入）する。グロメット本体２１の貫通穴２２ａに挿入（圧入）されるセンターシャフト３１は、先端の差し込み面３３ａのテーパーによりスムーズにグロメット本体２１を外径方向へ拡張変形させながら貫通穴２２ａを貫通する。
【００２８】
（手順２）
図４（Ｂ）に示すように、グロメット１１を全体として相手部品６１の取付穴６２に挿入（圧入）する。カエシ状のグロメットキャッチャ２３は、その内周側の逃げ空間Ｓによりスムーズに内径方向へ弾性変形するため、グロメット１１は容易に取付穴６２に圧入される。
【００２９】
（手順３）
図４（Ｃ）に示すように、グロメット本体２１のグロメットヘッド２４をセンターシャフト３１のシャフトヘッド３４によって押し続け、相手部品６１の取付穴６２に、カエシ状のグロメットキャッチャ２３を完全に貫通させる。
【００３０】
（手順４）
図４（Ｄ）に示すように、上記手順３での押し付け荷重を解除すると、グロメットヘッド２４は高さ方向に弾性復帰し、グロメットキャッチャ２３が取付穴６２の開口周縁部に係合し、抜け止め状態になる。手順３での押し付け荷重を解除したとき、グロメットヘッド２４に連通路２９が設けられていないと、グロメットヘッド２４は相手部品６１に吸盤のように吸着してしまい、円滑に弾性復帰しないことが懸念される。本実施の形態ではグロメットヘッド２４に突起２７による連通路２９が設けられているため、グロメットヘッド２４は相手部品６１に吸盤のように吸着することがない。グロメットヘッド２４の弾性復帰は、スムーズに行われる。
【００３１】
（作用および効果）
グロメット１１は、グロメット締結手段として取付ボルトを用いず、グロメット本体２１およびセンターシャフト３１を圧入する構造を採用している。この構造は、取り付け作業時に回転トルクをグロメット１１に作用させないため、共回りによる捩れが発生せず、よってグロメット１１に優れた耐久性を持たせることができる。また、取付ボルトを用いない圧入構造によるグロメット締結手段は、グロメット本体２１およびセンターシャフト３１を順次圧入する手順のみでグロメット１１を相手部品６１に取り付けることができ、よってグロメット取り付け作業を容易化することができる。
【００３２】
実施に際しては各種の変形や変更が可能である。例えば支持体８１に対するグロメット１１の接続構造は、支持体８１に対しセンターシャフト３１のシャフトヘッド３４を固定（埋設）することにより支持体８１に対しグロメット１１を接続する図３（Ａ）に示した構造に代えて、図３（Ｂ）に示すように、グロメット本体２１のグロメットヘッド２４とセンターシャフト３１のシャフトヘッド３４との間に支持体８１を挟み込むようにしても良い。図３（Ｂ）に示す構造を採用する場合、支持体８１には、グロメットヘッド２４とシャフトヘッド３４との間に挟み込まれるプレート８２が設けられ、このプレート８２に取付穴８３が設けられる。
【産業上の利用可能性】
【００３３】
本発明のグロメットは、例えば自動車等の車両に搭載される各種の補機類や制御装置、電子装置を防振支持するために用いられる。また、家電や電子機器の分野などで用いられる。
【符号の説明】
【００３４】
１１  グロメット
２１  グロメット本体
２２  差し込み部
２２ａ  貫通穴
２２ｂ，２２ｃ，３２ａ  端面
２３  グロメットキャッチャ
２３ａ，３３ａ  差し込み面
２３ｂ，３３ｂ  係合面
２４  グロメットヘッド
２４ａ  外側端面
２４ｂ  外側傾斜面
２４ｃ  外周面
２４ｄ  内側端面
２４ｅ  内側傾斜面
２４ｆ  内部端面
２５  逃げ空間部
２６，２７  突起
２８  内側空間
２９  連通路
３１  センターシャフト
３２  シャフト
３３  シャフトキャッチャ
３４  シャフトヘッド
６１  相手部品
６２，８３  取付穴
８１  支持体
８２  プレート
【図１】
2019039310.tif 000003
【図２】
2019039310.tif 000004
【図３】
2019039310.tif 000005
【図４】
2019039310.tif 000006
【図５】
2019039310.tif 000007
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
相手部品に設けた取付穴に差し込まれる筒状の差し込み部と、
前記差し込み部の差し込み方向先端に設けられたカエシ状のグロメットキャッチャと、
前記差し込み部の差し込み方向後端に設けられ、前記グロメットキャッチャとともに前記相手部品を挟み込む傘状のグロメットヘッドと、
前記差し込み部の内周面に溝状の逃げ空間を生成する逃げ空間部と、
を備えるゴム状弾性体製のグロメット本体と、
前記差し込み部の内周に差し込まれるシャフトと、
前記シャフトの差し込み方向先端に設けられ、差し込み方向後端側から差し込み方向先端側へ向けて径寸法が小さくなるテーパー面状の差し込み面を前記シャフトの差し込み方向先端の外周側に有するカエシ状のシャフトキャッチャと、
前記シャフトの差し込み方向後端に設けられ、前記シャフトキャッチャとともに前記グロメット本体を挟み込むシャフトヘッドと、
を備えるセンターシャフトと、
を備えることを特徴とするグロメット。
【請求項２】
前記グロメットヘッドは、前記グロメットキャッチャに向けて突出する突起を外周側に設けている、
ことを特徴とする請求項１に記載のグロメット。
【請求項３】
前記グロメットヘッドは、前記相手部品に前記グロメット本体を取り付けた状態で、前記突起の内側に位置する内側空間を大気に開放する連通路を有している、
ことを特徴とする請求項２に記載のグロメット。
【請求項４】
前記突起は複数個に分割され、
前記連通路は、隣り合う前記突起同士の間に設けられている、
ことを特徴とする請求項３に記載のグロメット。
【請求項５】
前記グロメットヘッドは、前記相手部品を支持する支持体に固定された前記シャフトヘッドに密接する、
ことを特徴とする請求項１に記載のグロメット。
【請求項６】
前記シャフトヘッドは、前記支持体に埋設される、
ことを特徴とする請求項５に記載のグロメット。
【請求項７】
前記グロメットヘッドは、前記シャフトヘッドと共に、前記相手部品を支持する支持体を挟持する、
ことを特徴とする請求項１に記載のグロメット。
【手続補正２】
【補正対象書類名】明細書
【補正対象項目名】０００６
【補正方法】変更
【補正の内容】
【０００６】
取り付け作業時に共回りによる捩れを生じさせないようにすることを課題とする。
【手続補正３】
【補正対象書類名】明細書
【補正対象項目名】０００７
【補正方法】変更
【補正の内容】
【０００７】
本発明のグロメットは、相手部品に設けた取付穴に差し込まれる筒状の差し込み部と、前記差し込み部の差し込み方向先端に設けられたカエシ状のグロメットキャッチャと、前記差し込み部の差し込み方向後端に設けられ、前記グロメットキャッチャとともに前記相手部品を挟み込む傘状のグロメットヘッドと、前記差し込み部の内周面に溝状の逃げ空間を生成する逃げ空間部とを備えるゴム状弾性体製のグロメット本体と、前記差し込み部の内周に差し込まれるシャフトと、前記シャフトの差し込み方向先端に設けられ、差し込み方向後端側から差し込み方向先端側へ向けて径寸法が小さくなるテーパー面状の差し込み面を前記シャフトの差し込み方向先端の外周側に有するカエシ状のシャフトキャッチャと、前記シャフトの差し込み方向後端に設けられ、前記シャフトキャッチャとともに前記グロメット本体を挟み込むシャフトヘッドとを備えるセンターシャフトと、を備える。
【手続補正４】
【補正対象書類名】明細書
【補正対象項目名】０００８
【補正方法】変更
【補正の内容】
【０００８】
締結手段を圧入構造としたため、取り付け作業時に回転トルクが作用せず、共回りによる捩れを生じさせないようにすることができる。
【手続補正５】
【補正対象書類名】明細書
【補正対象項目名】０００９
【補正方法】変更
【補正の内容】
【０００９】
【図１】実施の一形態を示すグロメットの断面斜視図。
【図２】（Ａ）および（Ｂ）とも同グロメットに備えられるグロメット本体の断面斜視図。
【図３】（Ａ）は同グロメットを支持体に取り付ける構造を示す断面斜視図、（Ｂ）は同構造の他の例を示す断面斜視図。
【図４】（Ａ）（Ｂ）（Ｃ）および（Ｄ）の順に同グロメットを相手部品に取り付ける手順を示す断面斜視図。
【図５】グロメットの説明図。
【手続補正６】
【補正対象書類名】明細書
【補正対象項目名】００３３
【補正方法】変更
【補正の内容】
【００３３】
グロメットは、例えば自動車等の車両に搭載される各種の補機類や制御装置、電子装置を防振支持するために用いられる。また、家電や電子機器の分野などで用いられる。
【国際調査報告】
2019039310.tif 000008
2019039310.tif 000009
2019039310.tif 000010
2019039310.tif 000011